(57)【要約】【課題】光源の発光面の寸法（大きさ）が変わっても、確実に配光規格を満足する配光特性を形成する光学系を備えた車両用灯具を提供することにある。【解決手段】発光面の大きさが異なる複数種のＬＥＤ光源と、ＬＥＤ光源からの光に所定の配光特性を持たせるレンズとを備え、ＬＥＤ光源の夫々は、レンズの焦線位置近傍を焦線に平行に延びる仮想直線上に夫々の発光面の一端を位置させた状態で仮想直線の一方の側に位置するように配列し、前記一端から出射してレンズを透過した光によって配光パターンのカットオフラインを形成する。【選択図】図５
2018073483.tif 000002
【特許請求の範囲】
【請求項１】
発光面の大きさが異なる複数種のＬＥＤ光源と、
前記複数種のＬＥＤ光源からの光に所定の配光特性を持たせるレンズとを備え、
前記ＬＥＤ光源の夫々は、前記レンズの焦線位置近傍を該焦線に平行に延びる仮想直線上に夫々の発光面の一端を位置させた状態で前記仮想直線の一方の側に位置するように配列され、前記一端から出射して前記レンズを透過した光が配光パターンのカットオフラインを形成することを特徴とする車両用灯具。
【請求項２】
前記レンズは、両端側をほぼ前記ＬＥＤの光軸方向及び前記レンズの焦線方向に沿う平面で切断した形状を有することを特徴とする請求項１に記載の車両用灯具。
【請求項３】
前記レンズの前記切断した切断面に対向する位置に、前記ＬＥＤ光源の配列方向に沿って外側に凹んで延びる自由曲面からなる湾曲柱状の反射面を備えていることを特徴とする請求項２に記載の車両用灯具。
【請求項４】
前記複数種のＬＥＤ光源は、白色光を発する白色ＬＥＤと黄色光を発する黄色ＬＥＤとで構成され、前記黄色ＬＥＤが前記白色ＬＥＤよりも発光面の大きさが大きいことを特徴とする請求項１〜請求項３のいずれかに記載の車両用灯具。
【発明の詳細な説明】
【技術分野】
【０００１】
本発明は、車両用灯具に関するものであり、詳しくは、配光を形成する光学系にレンズあるいはレンズとリフレクタを用いた車両用灯具に関する。
【背景技術】
【０００２】
従来、この種の車両用灯具としては、特許文献１に「車両用灯具」の名称で開示されたものがある。
【０００３】
開示された車両用灯具８０は、図１３にあるように、投影レンズ８１と、投影レンズ８１の焦点Ｆ１側に配置された導光板ユニット８２と、導光板ユニット８２を構成する導光板８３の入射面８４に接触配置された光源８５とを備えている。
【０００４】
導光板ユニット８２は、導光板８３と、表側反射シート８６と、裏側反射シート８７とを備え、そのうち導光板８３は、基端部８３ａと、基端部８３ａの、投影レンズ８１の焦点Ｆ１近傍の位置で投影レンズ８１側に折り曲げられて延びる平板形状の導光板本体８３ｂと、折曲部の反射面８３ｃとを有しており、導光板本体８３ｂの投影レンズ８１と反対側の面（裏面）８３ｄには複数のプリズム面８３ｅが形成されている。なお、折曲部の反射面８３ｃは、光源８５近傍に第１焦点Ｆ２を有すると共に投影レンズ８１の焦点Ｆ１近傍に第２焦点Ｆ３を有する楕円系反射面で構成されている。
【０００５】
また、導光板８３には、基端部８３ａの投影レンズ８１側の面（表面）に沿って表側反射シート８６が配置されると共に、基端部８３ａの裏面８３ｆ及び導光板本体８３ｂの裏面８３ｄに沿って裏側反射シート８７が配置されている。
【０００６】
そして、光源８５から発せられた光は入射面８４から導光板８３に入射し、そのうち反射面８３ｃに向かう光は、反射面８３ｃで第２焦点Ｆ３に向けて反射されて出射面（第１出射面）８３ａａからの出射光が第２焦点Ｆ３に集光してその後の拡散光が投影レンズ８１に向かい、導光板本体８３ｂ内を導光された光は、プリズム面８３ｅで出射面（第２出射面）８３ｂｂ側に反射されて第２出射面８３ｂｂからの出射光が投影レンズ８１に向かい、夫々の出射光が投影レンズ８１によって反転、拡大されて前方に投影される。
【先行技術文献】
【特許文献】
【０００７】
【特許文献１】特許第５４１８７５９号
【発明の概要】
【発明が解決しようとする課題】
【０００８】
ところで、上記構成からなる車両用灯具は、光源（例えば、ＬＥＤ光源）８５に発光面の寸法（大きさ）が異なる光源を用いた場合、導光板８３に対して入射面８４からの入射光の配光分布が変わる（面光源の配光特性に近づく）ため、導光板８３から出射して投影レンズ８１で反転、拡大された光についても配光特性に変化が生じる。その結果、灯具に要求される配光規格を満足できない場合が生じる恐れがある。そこで、規格を満足する配光を得るためには、新たな光学設計に基づく新たな導光板８３の作製が不可欠となる可能性がある。
【０００９】
そこで、本発明は上記問題に鑑みて創案なされたもので、その目的とするところは、光源の発光面の寸法（大きさ）が変わっても、確実に配光規格を満足する配光特性を形成する光学系を備えた車両用灯具を提供することにある。
【課題を解決するための手段】
【００１０】
上記課題を解決するために、本発明の請求項１に記載された発明は、発光面の大きさが異なる複数種のＬＥＤ光源と、前記複数種のＬＥＤ光源からの光に所定の配光特性を持たせるレンズとを備え、前記ＬＥＤ光源の夫々は、前記レンズの焦線位置近傍を該焦線に平行に延びる仮想直線上に夫々の発光面の一端を位置させた状態で前記仮想直線の一方の側に位置するように配列され、前記一端から出射して前記レンズを透過した光が配光パターンのカットオフラインを形成することを特徴とするものである。
【００１１】
また、本発明の請求項２に記載された発明は、請求項１において、前記レンズは、両端側をほぼ前記ＬＥＤの光軸方向及び前記レンズの焦線方向に沿う平面で切断した形状を有することを特徴とするものである。
【００１２】
また、本発明の請求項３に記載された発明は、請求項２において、前記レンズの前記切断した切断面に対向する位置に、前記ＬＥＤ光源の配列方向に沿って外側に凹んで延びる自由曲面からなる湾曲柱状の反射面を備えていることを特徴とするものである。
【００１３】
また、本発明の請求項４に記載された発明は、請求項１〜請求項３のいずれかにおいて、前記複数種のＬＥＤ光源は、白色光を発する白色ＬＥＤと黄色光を発する黄色ＬＥＤとで構成され、前記黄色ＬＥＤが前記白色ＬＥＤよりも発光面の大きさが大きいことを特徴とするものである。
【発明の効果】
【００１４】
本発明の車両用灯具は、発光面の大きさが異なる複数種のＬＥＤ光源と、複数種のＬＥＤ光源からの光に所定の配光特性を持たせるレンズとを備え、ＬＥＤ光源の夫々は、レンズの焦線位置近傍を該焦線に平行に延びる仮想直線上に夫々の発光面の一端を位置させた状態で仮想直線の一方の側に位置するように配列した。
【００１５】
これにより、ＬＥＤ光源の夫々の発光面の一端から出射してレンズを透過した光が配光パターンのカットオフラインを形成し、発光面の大きいＬＥＤ光源を用いた場合は大きくなった部分で形成された配光パターンが下方に延びるように形成されて配光パターン全体の大きさが下側にのみ大きくなる。
【００１６】
その結果、発光面の大きさが異なるＬＥＤ光源を用いたとしても、レンズを用いた光学系に設計変更を施すことなく規格を満足する灯具を実現することができる。
【図面の簡単な説明】
【００１７】
【図１】本発明の車両用灯具に係る実施形態の平面図である。
【図２】図１のＡ−Ａ断面図である。
【図３】図１のＢ−Ｂ断面図である。
【図４】実施形態を構成する光源実装基板の平面図である。
【図５】実施形態の光路図である。
【図６】実施形態で形成される配光パターンの図である。
【図７】本発明の車両用灯具に係る他の実施形態の平面図である。
【図８】図７のＣ−Ｃ断面図である。
【図９】図７のＤ−Ｄ断面図である。
【図１０】他の実施形態を構成するリフレクタによる光路図である。
【図１１】他の実施形態を構成するリフレクタで形成される配光パターンの図である。
【図１２】同じく、他の実施形態を構成するリフレクタで形成される配光パターンの図である。
【図１３】従来例の説明図である。
【発明を実施するための形態】
【００１８】
以下、この発明の好適な実施形態を図１〜図１２を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【００１９】
図１は本発明の実施形態に係る車両用灯具の平面図、図２は図１のＡ−Ａ断面図、図３は図１のＢ−Ｂ断面図、図４は車両用灯具を構成するＬＥＤ光源実装基板の平面図である。
【００２０】
本発明の車両用灯具（以下、「灯具」と略称する）１は、基板１０上に発光色が異なる複数種のＬＥＤ光源（以下、「ＬＥＤ」と略称する）１２、１３の夫々が複数個実装されてなるＬＥＤ光源実装基板（以下、「ＬＥＤ実装基板」と略称する）１１と、ＬＥＤ実装基板１１を構成するＬＥＤ１２、１３の出射方向前方に配置されたレンズ２０とを備えている。
【００２１】
ＬＥＤ実装基板１１（図４参照）は、基板１０上に、白色光を発光する白色ＬＥＤ１２と黄色光を発光する黄色ＬＥＤ１３の夫々が複数個ずつ実装されている。白色ＬＥＤ１２と黄色ＬＥＤ１３とは矩形状の発光面を有するが発光面の大きさが互いに異なり、具体的には、黄色ＬＥＤ１３の方が白色ＬＥＤ１２よりも大きい発光面を有しており、白色ＬＥＤ１２の発光面１２ａの一端１２ｂと黄色ＬＥＤ１３の発光面１３ａの一端１３ｂとが直線Ｘ１上に位置するように配列されている。
【００２２】
換言すると、基板１０上に実装された複数の白色ＬＥＤ１２の夫々の発光面１２ａと、複数の黄色ＬＥＤ１３の夫々の発光面１３ａとはいずれも、互いの一端１２ｂ、１３ｂを含む直線Ｘ１の一方の側に位置している。
【００２３】
また、夫々が、白色ＬＥＤ１２を挟んだ両側に所定の間隔をおいて黄色ＬＥＤ１３が配置されてなる２つのＬＥＤ群１４が、所定の間隔を置いて隣接配置されている。
【００２４】
なお、ＬＥＤ実装基板１１には、外部電源からの電力を受電して白色ＬＥＤ１２及び黄色ＬＥＤ１３に給電するコネクタ１５が取り付けられている。
【００２５】
レンズ２０は、ＬＥＤ実装基板１１に対向する側の面（入射面）２１が、各ＬＥＤ群１４毎を覆うようにＬＥＤ実装基板１１と反対側に凹んだ連続する２つの自由曲面で構成され、入射面２１と反対側の面（出射面）２２が、入射面２１の２つの自由曲面の夫々に対応する位置にＬＥＤ実装基板１１と反対側に凸の連続する２つの自由曲面で構成されている。
【００２６】
また、レンズ２０は両端側が、ＬＥＤ群１４の配列方向に沿って基板１０に略垂直な面でカットされた形状を有している。
【００２７】
各ＬＥＤ群１４とレンズ２０との位置関係は、灯具１を車両に搭載した状態において、白色ＬＥＤ１２の発光面１２ａの一端１２ｂと黄色ＬＥＤ１３の発光面１３ａの一端１３ｂとを含む直線Ｘ１が、レンズ２０の焦線Ｆの位置の上側近傍を該焦線Ｆに平行に延びている。
【００２８】
そこで、図５の光路図に示すように、白色ＬＥＤ１２を点灯した場合、白色ＬＥＤ１２の発光面の一端（灯具を車両に搭載した状態においては下端）１２ｂからレンズ２０の、焦線Ｆを含む中心面Ｘに沿う方向に発せられた光Ｌ１１は、下端１２ｂがレンズ２０の焦線Ｆのやや上側に位置するため、レンズ２０の入射面２１の中心面Ｘ近傍の上側からレンズ２０内に入射し、レンズ２０で反転されて出射面２２から中心面Ｘのやや下側に向けて出射される。
【００２９】
一方、白色ＬＥＤ１２の発光面の他端（灯具を車両に搭載した状態においては上端）１２ｃからレンズ２０の上部方向に発せられた光Ｌ１２は、レンズ２０の入射面２１の、光Ｌ１１の入射位置よりも上側からレンズ２０内に入射し、レンズ２０で反転されて出射面２２から光Ｌ１１よりも下方に向けて出射される。
【００３０】
図６は、上記白色ＬＥＤ１２から発せられた光をレンズ２０を通して灯具１前方に設けられた沿直スクリーン上に投影した配光パターンを示している。
【００３１】
図６より、白色ＬＥＤ１２の出射光で配光パターンＡが形成され、白色ＬＥＤ１２の発光面１２ａの下端１２ｂからの出射光で配光パターンＡの上端ＡＵが形成され、発光面１２ａの上端１２ｃからの出射光で配光パターンＡの下端ＡＤが形成される。この場合、配光パターンＡの上端ＡＵはカットオフラインを形成し、配光の水平基準線（Ｈ−Ｈ）に対して例えば約１Ｄ（約１°下方）の位置に形成されている。
【００３２】
ここで、上記白色ＬＥＤ１２に変えて該白色ＬＥＤ１２よりも発光面の大きい黄色ＬＥＤ１３を用いた場合、図５にあるように、黄色ＬＥＤ１３の発光面１３ａの上端１３ｃからレンズ２０の上部方向に発せられた光Ｌ１３は、レンズ２０の入射面２１の上部からレンズ２０内に入射し、レンズ２０で反転されて出射面２２から、白色ＬＥＤ１２の発光面１２ａの上端１２ｃから発せられた光Ｌ１２よりも下方に向けて出射される。
【００３３】
この場合、黄色ＬＥＤ１３の発光面１３ａの下端１３ｂは、白色ＬＥＤ１２の発光面１２ａの下端１２ｂと同様に上記直線Ｘ１上に位置している。それにより、黄色ＬＥＤ１３の発光面１３ａの下端１３ｂからレンズ２０の中心面Ｘに沿う方向に発せられた光は、白色ＬＥＤ１２の発光面１２ａの下端１２ｂから発せられた光Ｌ１１と同様の光路を辿ってレンズ２０の出射面２２から中心面Ｘのやや下側に向けて出射される。
【００３４】
したがって、白色ＬＥＤ１２よりも発光面が大きい黄色ＬＥＤ１３で形成される配光パターンＣは、図６に示すように、黄色ＬＥＤ１３の発光面１３ａの、白色ＬＥＤ１２の発光面１２ａと同じ大きさの部分で形成される配光パターンＡの領域と、白色ＬＥＤ１２の発光面１２ａよりも大きい部分で形成される配光パターンＢの領域を加えた領域となる。
【００３５】
この場合、黄色ＬＥＤ１３の発光面１３ａの下端１３ｂからの出射光で配光パターンＣの上端ＡＵが形成され、発光面１３ａの上端１３ｃからの出射光で配光パターンＣの下端ＢＤＤが形成される。この場合も、上端ＡＵはカットオフラインを形成している。
【００３６】
したがって、光源に発光面の大きさが異なるＬＥＤを用いる場合、ＬＥＤの下端の位置をレンズの焦線位置の上側近傍に該焦線に平行に配列することにより、発光面の大きさに関係なく配光パターンの上端のカットオフラインは常に一定位置に形成され、発光面の大きさが大きくなるにつれて大きくなった部分で形成された配光パターンが下方に延びるように形成されて配光パターン全体の大きさが下側にのみ大きくなるだけである。
【００３７】
このことより、レンズ２０を用いた光学系により配光を形成する上記灯具において、発光面の大きさの異なるＬＥＤを用いたとしても、形成される配光パターンに対する発光面の大きさの違いは、カットオフラインの下方に位置する部分の大きさにのみに係るものである。そのため、発光面の大きさが異なるＬＥＤを用いたとしても、上記レンズ２０を用いた光学系に設計変更を施すことなく規格を満足する灯具を実現することができる。
【００３８】
なお、レンズ２０の、基板１０に略垂直な面でカットされた両端側の部分は、特に灯具１からの出射光が白色光の場合、レンズ２０の出射面２２に対してレンズ２０側から臨界角に近い大きな入射角で入射した光が、出射面２２からの出射時の屈折による色収差によって着色光となって照射されるのを防止している。
【００３９】
ところで、上記構成の灯具１は、ＬＥＤ群１４を構成する白色ＬＥＤ１２及び黄色ＬＥＤ１３の夫々から発せられた光のうち、レンズ２０の入射面２１に到達しない光は灯具１の照射光とはならないため光の利用効率が良くない。
【００４０】
そこで、上記構成の灯具１に基づいて光の利用効率の向上を図った灯具２を以下に説明する。
【００４１】
図７は灯具の平面図、図８は図７のＣ−Ｃ断面図、図９は図７のＤ−Ｄ断面図である。
【００４２】
灯具２は、ＬＥＤ実装基板１１及びレンズ２０を備えた上記灯具１に対して、レンズ２０の側方を囲むように内面を反射面とする環状のリフレクタ４０を備えている。
【００４３】
リフレクタ４０は、特に、レンズ２０の２つのカット面２３側に位置する下側リフレクタ部４１及び上側リフレクタ部４２が灯具２の上下方向の配光形成に寄与するものとなる。
【００４４】
リフレクタ４０の下側リフレクタ部４１及び上側リフレクタ部４２はいずれも、レンズ２０に対向する側にある反射面４１ａ及び４２ａの夫々が、ＬＥＤ実装基板１１側から前方に向かって外側（レンズ２０と反対側）に自由曲線状に凹みながら外側に開いて延びる断面が、ＬＥＤ実装基板１１のＬＥＤ群１４の配列方向に沿って延びる、所謂自由曲面からなる湾曲柱状を呈している。
【００４５】
そして、白色ＬＥＤ１２から発せられて下方に向かう光は、レンズ２０の入射面２１の下端２１ｂと下側リフレクタ部４１の反射面４１ａの後端４１ａａとの間の領域Ｄを通った光が反射面４１ａで前方に向けて反射され、その反射光によって配光パターンが形成される。
【００４６】
一方、白色ＬＥＤ１２から発せられて上方に向かう光は、レンズ２０の入射面２１の上端２１ｃと上側リフレクタ部４２の反射面４２ａの後端４２ａａとの間の領域Ｅを通った光が反射面４２ａで前方に向けて反射され、その反射光によって配光パターンが形成される。
【００４７】
具体的には、図１０の光路図に示すように、白色ＬＥＤ１２を点灯した場合、白色ＬＥＤ１２の発光面の下端１２ｂから下側リフレクタ部４１の反射面４１ａの後端４１ａａ近傍に向けて発せられた光をＬ２１とし、反射面４１ａの最前方に向けて発せられた光をＬ２２とし、白色ＬＥＤ１２の発光面の上端１２ｃから下側リフレクタ部４１の反射面４１ａの後端４１ａａ近傍に向けて発せられた光をＬ２３とし、反射面４１ａの最前方に向けて発せられた光をＬ２４とすると、白色ＬＥＤ１２から発せられて下側リフレクタ部４１の反射面４１ａで反射光された反射光が形成する配光パターンは図１１のようになる。
【００４８】
図１１より、形成される配光パターンＦは、下端ＦＤが白色ＬＥＤ１２の発光面の下端１２ｂから下側リフレクタ部４１の反射面４１ａの後端４１ａａ近傍に向けて発せられた光Ｌ２１で形成され、その上側に配光パターンＦが形成される。この場合、配光パターンＦの下端ＦＤは、配光の水平基準線（Ｈ−Ｈ）に対して例えば約５Ｄ（約５°下方）の位置に形成される。
【００４９】
ここで、図示しないが、上記白色ＬＥＤ１２に変えて該白色ＬＥＤ１２よりも発光面の大きい黄色ＬＥＤを用いた場合、黄色ＬＥＤの発光面の、白色ＬＥＤ１２の発光面１２ａよりも大きい部分から発せられる光は、反射面４１ａに対する入射角が白色ＬＥＤ１２から発せられた光よりも小さいため、反射光が白色ＬＥＤ１２から発せられた光の反射光よりも上方に向かう。
【００５０】
そのため、白色ＬＥＤ１２よりも発光面が大きい黄色ＬＥＤで形成される配光パターンＭは、図１１に示すように、黄色ＬＥＤの発光面の、白色ＬＥＤ１２の発光面１２ａと同じ大きさの部分で形成される配光パターンＦの領域と、白色ＬＥＤ１２の発光面１２ａよりも大きい部分で形成される配光パターンＧの領域を加えた領域となる。
【００５１】
したがって、光源に発光面の大きさが異なるＬＥＤを用いる場合、ＬＥＤの下端の位置をレンズの焦線位置の上側近傍に該焦線に平行に配列することにより、発光面の大きさに関係なく配光パターンの下端ＦＤは常に一定位置に形成され、発光面の大きさが大きくなるにつれて大きくなった部分で形成された配光パターンが上方に延びるように形成されて配光パターン全体の大きさが上側にのみ大きくなるだけである。
【００５２】
また、図１０の光路図に示すように、白色ＬＥＤ１２の発光面の下端１２ｂから上側リフレクタ部４２の反射面４２ａの後端４２ａａ近傍に向けて発せられた光をＬ３１とし、反射面４２ａの最前方に向けて発せられた光をＬ３２とし、白色ＬＥＤ１２の発光面の上端１２ｃから上側リフレクタ部４２の反射面４２ａの後端４１ａａ近傍に向けて発せられた光をＬ３３とし、反射面４２ａの最前方に向けて発せられた光をＬ３４とすると、白色ＬＥＤ１２から発せられて上側リフレクタ部４２の反射面４２ａで反射光された反射光が形成する配光パターンは図１２のようになる。
【００５３】
図１２より、形成される配光パターンＩは、下端ＩＤが白色ＬＥＤ１２の発光面の下端１２ｂから上側リフレクタ部４２の反射面４２ａの後端４２ａａ近傍に向けて発せられた光Ｌ３１で形成され、その上側に配光パターンＩが形成される。この場合、配光パターンＩの下端ＩＤは、配光の水平基準線（Ｈ−Ｈ）に対して例えば約５Ｄ（約５°下方）の位置に形成される。
【００５４】
ここで、図示しないが、上記白色ＬＥＤ１２に変えて該白色ＬＥＤ１２よりも発光面の大きい黄色ＬＥＤを用いた場合、黄色ＬＥＤの発光面の、白色ＬＥＤ１２の発光面１２ａよりも大きい部分から発せられる光は、反射面４２ａに対する入射角が白色ＬＥＤ１２から発せられた光よりも大きいため、反射光が白色ＬＥＤ１２から発せられた光の反射光よりも上方に向かう。
【００５５】
そのため、白色ＬＥＤ１２よりも発光面が大きい黄色ＬＥＤで形成される配光パターンＫは、図１２に示すように、黄色ＬＥＤの発光面の、白色ＬＥＤ１２の発光面１２ａと同じ大きさの部分で形成される配光パターンＩの領域と、白色ＬＥＤ１２の発光面１２ａよりも大きい部分で形成される配光パターンＪの領域を加えた領域となる。
【００５６】
したがって、光源に発光面の大きさが異なるＬＥＤを用いる場合、ＬＥＤの下端の位置をレンズの焦線位置の上側近傍に該焦線に平行に配列することにより、発光面の大きさに関係なく配光パターンの下端ＩＤは常に一定位置に形成され、発光面の大きさが大きくなるにつれて大きくなった部分で形成された配光パターンが上方に延びるように形成されて配光パターン全体の大きさが上側にのみ大きくなるだけである。
【００５７】
なお、灯具２の光学系を構成するレンズ２０による配光パターンの形成については、上述の灯具１において詳細に説明したのでここでの説明は省略する。
【００５８】
上述のことより、レンズ２０及びリフレクタ４０を用いた光学系を備えた灯具２の照射光で形成される配光パターンは、図６、図１１及び図１２の夫々で示した配光パターンを重畳した配光パターンとなる。
【００５９】
したがって、灯具２の配光パターンは、レンズ２０で形成される配光パターン（図６参照）及びリフレクタ４０で形成される配光パターン（図１１及び図１２参照）の形成過程で説明したように、発光面の大きさの異なるＬＥＤを用いたとしても光学系に設計変更を施すことなく規格を満足する灯具を実現することができる。そのため、余分なコストをかけることなく光学設計の自由度を高めることができる。
【００６０】
なお、レンズ２０及びリフレクタ４０を用いた光学系を備えた灯具２は、例えば、車両のフォグランプとして機能する。
【００６１】
この場合、光源の白色ＬＥＤ１２及び黄色ＬＥＤ１３は、夫々が法規で定められた色の光を発するものが用いられ、白色ＬＥＤ１２を点灯することによって白色光を照射するフォグランプとして機能し、黄色ＬＥＤ１３を点灯することによって黄色光を照射するフォグランプとして機能する。
【００６２】
そのため、前方の霧の状態に応じて適宜に白色ＬＥＤ１２と黄色ＬＥＤ１３の点灯を切り替えることにより、前方の視界を確保して良好な視認性を得ることができる。また、運転者のその時々の気分に応じて照射光の色を変えることもできる。
【符号の説明】
【００６３】
１…  車両用灯具
２…  車両用灯具
１０…  基板
１１…  ＬＥＤ実装基板
１２…  ＬＥＤ光源（白色ＬＥＤ）
１２ａ…  発光面
１２ｂ…  一端（下端）
１２ｃ…  他端（上端）
１３…  ＬＥＤ光源（黄色ＬＥＤ）
１３ａ…  発光面
１３ｂ…  一端（下端）
１４…  ＬＥＤ群
１５…  コネクタ
２０…  レンズ
２１…  入射面
２１ｂ…  下端
２１ｃ…  上端
２２…  出射面
２３…  カット面
４０…  リフレクタ
４１…  下側リフレクタ部
４１ａ…  反射面
４１ａａ…  後端
４２…  上側リフレクタ部
４２ａ…  反射面
４２ａａ…  後端
【図１】
2018073483.tif 000003
【図２】
2018073483.tif 000004
【図３】
2018073483.tif 000005
【図４】
2018073483.tif 000006
【図５】
2018073483.tif 000007
【図６】
2018073483.tif 000008
【図７】
2018073483.tif 000009
【図８】
2018073483.tif 000010
【図９】
2018073483.tif 000011
【図１０】
2018073483.tif 000012
【図１１】
2018073483.tif 000013
【図１２】
2018073483.tif 000014
【図１３】
2018073483.tif 000015